(57)【特許請求の範囲】
【請求項１】
遊技に関する演出を表示する表示装置と、
前記表示装置を取付可能な取付部を有する遊技機本体部と、
所定の基板を搭載する基台を取り付ける基台取付部を前記表示装置の背面側に有するとともに前記表示装置を支持して、前記遊技機本体部の前記取付部に取り付けられる支持部材とを備え、
前記支持部材は、前記表示装置の一辺を支持する第１の部材と前記表示装置における前記第１の部材が支持する辺と対向する辺を支持する第２の部材とから構成され、
前記第１の部材は、前記基台が、前記表示装置の背面側に位置するように取り付けられる第１の基台取付部を有し、
前記第２の部材は、前記第１の基台取付部に取り付けられる基台とは別の基台が、前記表示装置の背面側に位置するように取り付けられる第２の基台取付部を有する、
ことを特徴とする遊技機。
【請求項２】
前記第１の基台取付部は、前記表示装置への信号を中継する中継基板を搭載する基台を取り付け可能である、
ことを特徴とする請求項１記載の遊技機。
【請求項３】
前記第２の基台取付部は、前記第２の部材の長手方向の上端から下端にかけて形成される、
ことを特徴とする請求項１または２に記載の遊技機。
【請求項４】
前記第２の基台取付部は、前記表示装置へ流れる電力を変換するインバータ基板を搭載する基台を取り付け可能である、
ことを特徴とする請求項１〜３の何れか一項に記載の遊技機。
【請求項５】
前記遊技機本体部は、内部に取付凹部が形成され、
前記表示装置は、前記取付凹部に配置される、
ことを特徴とする請求項１〜４の何れか一項に記載の遊技機。
【発明の詳細な説明】
【技術分野】
【０００１】
本発明は、遊技機に関し、特に表示装置の本体への取付構造に関するものである。
【背景技術】
【０００２】
遊技機、特にパチンコ遊技機では、周知のように、遊技盤が装着された遊技機本体部がヒンジを介して外枠に回動可能に取り付けられているとともに、遊技機本体部の表面に、遊技盤を視認可能に被うガラス扉や皿ユニットなどの開閉扉が回動可能に取り付けられている。
【０００３】
そして、液晶表示装置（ＬＣＤ）などの表示装置は、遊技機本体部に形成された開口部に嵌め込まれて取り付けられるようになっており、遊技機の正面側から遊技盤を介して視認することができるようになっている（例えば、特許文献１参照）。
【特許文献１】特開２００５−２７０１３８号公報
【発明の開示】
【発明が解決しようとする課題】
【０００４】
しかしなから、特許文献１の遊技機では、各遊技機本体部毎に、取り付け可能な表示装置の規格が決まっていた。そのため、当該遊技機に、異なる規格の表示装置、すなわち、大きさや形状の異なる表示装置を取り付ける場合には、遊技機本体部の設計変更をしなければならない。
【０００５】
しかし、これでは、異なる規格の表示装置を流用することは難しい。
【０００６】
そこで、本発明は、規格の異なる表示装置を、遊技機本体部の設計変更を行うことなく取り付けることが可能な遊技機を提供することを目的とする。
【課題を解決するための手段】
【００１４】
上記課題を解決するため、請求項１に記載の本発明の遊技機は、遊技に関する演出を表示する表示装置（１９インチ液晶ディスプレイ２０，６２０）と、表示装置を取付可能な取付部（ボス５４１，５４２，５４３，５４４）を有する遊技機本体部（本体部２）と、所定の基板（例えば、中継基板４３、インバータ基板４４）を搭載する基台を取り付ける基台取付部（例えば、第１の基台取付部３１ｅ，第２の基台取付部３２ｉ）を前記表示装置の背面側に有するとともに表示装置を支持して、遊技機本体部の取付部に取り付けられる支持部材（支持部材３０）とを備え、支持部材は、表示装置の一辺を支持する第１の部材（第１の部材３１）と、表示装置における第１の部材が支持する辺と対向する辺を支持する第２の部材（第２の部材３２）とから構成され、第１の部材は、基台が、表示装置の背面側に位置するように取り付けられる第１の基台取付部（第１の基台取付部３１ｅ）を有し、第２の部材は、第１の基台取付部に取り付けられる基台とは別の基台が、表示装置の背面側に位置するように取り付けられる第２の基台取付部（第２の基台取付部３２ｉ）を有する、ことを特徴とする。
【００１５】
本構成によれば、支持部材は、表示装置を支持するとともに、遊技機本体部の取付部に取り付けられるようになっている。そのため、当該支持部材を介して、表示装置を遊技機本体部に取り付けることが可能となる。この場合、表示装置を直接遊技機本体部に取り付ける手法に比べて、表示装置の規格の違いを上記支持部材によって補完することが可能となる。そのため、例えば、取り付ける表示装置の大きさが遊技機指定の規格よりも小さいために遊技機本体部の取付部にまで届かない場合であったとしても、上記支持部材を介して取付部に取り付けることが可能となる。すなわち、本発明によれば、指定の規格よりも小さい表示装置であっても、支持部材を介することによって、遊技機本体部の取付部に取り付けることが可能となる。また、たとえ表示装置と支持部材との規格が適合しなかったとしても、設計変更の容易な支持部材を調整するのみで容易に適合させることができる。
これにより、規格の異なる表示装置を、遊技機本体部の設計変更を行うことなく取り付けることが可能となり、異なる規格の表示装置を流用することが容易となる。
また、本構成によれば、支持部材は、表示装置の背面側に、所定の基板を搭載する基台を取り付ける基台取付部を有しており、これにより、表示装置の背面側に当該基台を取り付けることができ、表示装置の背面側のスペースを有効に利用することが可能となる。
さらに、本発明によれば、表示装置と所定の基板を搭載する基台とを一体化させることができるため、表示装置と上記基台とを個別に着脱する手間を省くことができる。これにより、遊技機のメンテナンスや部品交換が容易となる。
さらに、本発明によれば、異なる規格の基台であっても、支持部材の基台取付部を調整するのみで、遊技機本体部に取り付けることが可能となる。これにより、異なる規格の基台を、遊技機本体部の設計変更を行うことなく取り付けることが可能となり、異なる規格の基台を流用することが容易となる。
さらに、本構成によれば、支持部材は、第１の基台取付部を有する第１の部材および第２の基台取付部を有する第２の部材から構成されている。すなわち、本構成の支持部材は、複数の基台を取り付けることができるようになっているので、表示装置と上記基台とを個別に着脱する手間をより省くことができ、遊技機のメンテナンスや部品交換がより容易となる。
【００１６】
請求項２に記載の本発明は、請求項１に記載の発明の構成に加えて、第１の基台取付部は、表示装置への信号を中継する中継基板（中継基板４３）を搭載する基台を取り付け可能であることを特徴とする。
【００１７】
本構成によれば、表示装置への信号を中継する中継基板を搭載する基台、すなわち、表示装置の制御に関する基板を搭載する基台を、支持部材の第１の基台取付部に取り付けることができるようになっている。そのため、表示装置と、当該表示装置に関連する基板とを一緒に着脱することが可能となる。これにより、遊技機のメンテナンスや部品交換がより容易となる。
【００１８】
さらに、本発明によれば、異なる規格の基台であっても、支持部材の基台取付部を調整するのみで、遊技機本体部に取り付けることが可能となる。これにより、異なる規格の基台を、遊技機本体部の設計変更を行うことなく取り付けることが可能となり、異なる規格の基台を流用することが容易となる。
【００１９】
請求項３に記載の本発明は、請求項１または２に記載の発明の構成に加えて、第２の基台取付部は、第２の部材の長手方向の上端から下端にかけて形成されることを特徴とする。
【００２０】
本構成によれば、第２の基台取付部は、第２の部材の長手方向の上端から下端にかけて形成されている。この場合、第２の基台取付部を長手方向に大きくすることができるので、表示装置の背面側のスペースをより有効に利用することが可能となる。また、本発明によれば、第２の部材の上端および下端にて基台を支持することができるので、荷重が重い基台であっても、より強固に支持することが可能となる。
【００２１】
請求項４に記載の本発明は、請求項１〜３の何れか一項に記載の発明の構成に加えて、第２の基台取付部は、表示装置へ流れる電力を変換するインバータ基板（インバータ基板４４）を搭載する基台を取り付け可能であることを特徴とする。
【００２２】
本構成によれば、表示装置へ流れる電力を変換するインバータ基板を搭載する基台、すなわち、表示装置の制御に関する基板を搭載する基台を、支持部材の第２の基台取付部に取り付けることができるようになっている。そのため、表示装置と、表示装置に関連する基板とを一緒に着脱することが可能となる。これにより、遊技機のメンテナンスや部品交換がより容易となる。
【００２３】
さらに、本発明によれば、異なる規格の基台であっても、支持部材の基台取付部を調整するのみで、遊技機本体部に取り付けることが可能となる。これにより、異なる規格の基台を、遊技機本体部の設計変更を行うことなく取り付けることが可能となり、異なる規格の基台を流用することが容易となる。
【００２４】
請求項５に記載の本発明は、請求項１〜４の何れか一項に記載の発明の構成に加えて、遊技機本体部は、内部に取付凹部（取付凹部５００）が形成され、表示装置は、取付凹部に配置されることを特徴とする。
【００２５】
本構成によれば、表示装置を取付凹部に配置させているので、当該取付凹部によって表示装置の下端を支持することができ、当該表示装置の鉛直方向への落下を防ぐことが可能となる。これにより、表示装置をより確実に遊技機本体部に取り付けることが可能となる。
【発明の効果】
【００２６】
本発明によれば以下の効果を奏することができる。
【００２７】
すなわち、本発明によれば、規格の異なる表示装置を、遊技機本体部の設計変更を行うことなく取り付けることが可能となる。
【発明を実施するための最良の形態】
【００２８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２９】
（実施の形態１）
【００３０】
図１は実施の形態１に係る遊技機を示す斜視図、図２は図１に示した遊技機の正面図、図３は図１に示した遊技機を表面側から見た分解斜視図、図４は実施の形態１に係る本体部の内部を示す正面図、図５は図４に示す本体部に１９インチ液晶ディスプレイが搭載された例を示す正面図、図６は図４に示す本体部に１９インチ液晶ディスプレイが搭載された例を示す斜視図、図７は支持部材に支持された１９インチ液晶ディスプレイの正面図、図８は支持部材に支持された１９インチ液晶ディスプレイの斜視図、図９は支持部材に支持された１９インチ液晶ディスプレイの背面図、図１０は図９に示した第１の部材および第１の基台を背面側から見た説明図、図１１は第１の基台が取り付けられた第１の部材を背面側から見た斜視図、図１２は図９に示した第１の部材および第１の基台を表面側から見た説明図、図１３は第１の基台が取り付けられた第１の部材を表面側から見た斜視図、図１４は図９に示した第２の部材および第２の基台を背面側から見た説明図、図１５は第２の基台が取り付けられた第２の部材を背面側から見た斜視図、図１６は図９に示した第２の部材および第２の基台を表面側から見た説明図、図１７は第２の基板が取り付けられた第２の部材を表面側から見た斜視図、図１８は図４に示す本体部に２０インチ液晶ディスプレイが搭載された例を示す正面図、図１９は図４に示す本体部に２０インチ液晶ディスプレイが搭載された例を示す斜視図、図２０は図１８に示す２０インチ液晶ディスプレイの正面図、図２１は図１８に示す２０インチ液晶ディスプレイの斜視図、図２２は実施の形態２に係るパチスロ機の外観斜視図、図２３は図２２のパチスロ機の内部構造を示す正面図である。
【００３１】
図１および図２に示すように、パチンコ遊技機（遊技機）１は、遊技盤１０（図２）が装着される本体部２と、本体部２内で遊技盤１０の背後に設けられ、遊技に関する演出を表示する１９インチ液晶ディスプレイ（表示装置）２０（図３、図５および図６参照）と、この本体部２に取り付けられるガラス扉３、上皿部４、下皿部５、カバー６およびハンドル７とを備えている。
【００３２】
さらに、本体部２の背面側には、図３に示すように、遊技機１の動作を実現するためのさまざまな電子部品や電子部品等を実装した基板（例えば、液晶表示装置２０の表示を制御する表示制御基板等）が搭載された制御系ケース７０が取り付けられるようになっている。
【００３３】
本体部２は、図３に示すように、木枠２ａと、この木枠２ａに回動可能に支持される本体２００とを有している。この本体部２（実際には本体２００）の内部には、遊技盤１０および１９インチ液晶ディスプレイ２０を収容する取付凹部５００が形成されている。また、本体２００（実際には取付凹部５００の底部）には、後述するインバータ基板４４を搭載する第２の基台４２（図３）を収容する凹部（以下、第２の基台収容凹部という）５２０が形成されている。
【００３４】
ガラス扉３および上皿部４は一体化して形成されており、この一体化された開閉扉（開閉体）９は、その一端が本体部２に回動可能に軸支され、他端が本体部２に係合するようになっている。ガラス扉３は、遊技盤１０を視認可能に被うものである。
【００３５】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００３６】
上皿部４の下側に位置する下皿部５は、本体部２に固定されており、払い出しにより上皿４ａからオーバーフローした遊技球が貯留される下皿５ａを有している。
【００３７】
下皿部５の右側に設けられたハンドル７は、レール（図示せず）を介して遊技盤１０の遊技領域へ遊技球を打ち込む際に回動操作されるものであり、遊技球の発射を停止させるストップボタン（図示せず）が設けられている。
【００３８】
ガラス扉３の上側に位置するカバー６は本体部２に固定されており、カバー６の左右の部位６ａ，６ｂは、本体部２に設けられる左右のスピーカ（図示せず）にそれぞれ対応して、スピーカからの音声が聞こえるような構造になっている。
【００３９】
遊技盤１０は、遊技領域（図示せず）を含む領域が透光性部材で形成され、該透光性部材を介して１９インチ液晶ディスプレイ２０を視認可能に本体２００（図３）に対し当該本体２００の表面側から取り付けられる。透光性部材は、例えばアクリル樹脂等の透明な樹脂で形成されている。
【００４０】
このような遊技盤１０においては、１９インチ液晶ディスプレイ２０に表示される画像を明確に視認することが可能なように、透光性部材の透明な箇所の可視光線透過率は３０％以上であることが望ましく、５０％以上であることがより望ましい。
【００４１】
１９インチ液晶ディスプレイ２０は、略長方形状を呈しており、第１の部材３１および第２の部材３２から構成される支持部材３０に左右から支持されて本体部２における本体２００に対し当該本体２００の表面側から取り付けられるようになっている。さらに、１９インチ液晶ディスプレイ２０は、遊技に関する演出画像（例えば、遊技状態に対応したアニメーションやその他の報知情報など。）等を表示可能な１９インチの表示領域２０ａを備えている（図３参照）。
【００４２】
ここで、遊技盤１０が透明である本実施の形態では、１９インチ液晶ディスプレイ２０の表示領域２０ａを、遊技盤１０を通して視認可能となっている。
【００４３】
次に、本体部２の構成について、図４〜図６を参照して説明する。
【００４４】
図４は、１９インチ液晶ディスプレイ２０、遊技盤１０および開閉扉９を取り付ける前の本体部２を表面側から見た様子（正面図）を示している。図５および図６は、図４の本体部２に１９インチ液晶ディスプレイが搭載された（取り付けられた）様子を示している。
【００４５】
本体部２（実際には本体２００）は、図４に示すように、支持部材３０に支持された１９インチ液晶ディスプレイ２０の上方向の移動を規制する段部（以下、上方向移動規制段部という）５３１，５３２、および１９インチ液晶ディスプレイ２０を支持する支持部材３０を本体部２に固定して取り付けるための取付部である４つのボス５４１，５４２，５４３，５４４が設けられている。
【００４６】
なお、本実施の形態の本体部２は、２０インチの表示領域２２ａを有する２０インチ液晶ディスプレイ２２（図２０および図２１）の取り付けに最も適した構造となっており、４つのボス５４１，５４２，５４３，５４４は、それぞれ２０インチ液晶ディスプレイ２２の固定部２２ｂ，２２ｃ，２２ｄ，２２ｅにそれぞれ形成された取付孔２２ｂａ，２２ｃａ，２２ｄａ，２２ｅａ（図２０および図２１）と対向する位置に配置されている。そのため、ボス５４１，５４２，５４３，５４４に、それぞれ取付孔２２ｂａ，２２ｃａ，２２ｄａ，２２ｅａを介してビス等を固定することにより、２０インチ液晶ディスプレイ２２を本体部２に直接取り付けることができる（図１８および図１９参照）。
【００４７】
また、本体２００には、所定の部位に、本体部２の内側に滞留する熱を外部に放熱するための複数の切り欠き部（孔）５５１が形成されている。
【００４８】
第２の基台収容凹部５２０の底部には、第２の基台４２に搭載されたインバータ基板４４から発せられる熱を外部に放熱するための複数の放熱孔５２１が形成されている。
【００４９】
ところで、本体２００の取付凹部５００には、支持部材３０に支持された１９インチ液晶ディスプレイ２０の前方向の移動を規制する取付係合部２１０，２３０、および上記支持部材３０の下端を支持する段部（以下、下端支持段部）５１７，５１８が設けられている。
【００５０】
すなわち、本体２００には、１９インチ液晶ディスプレイ２０に関し、その下端を支持部材３０を介して支持する下端支持段部５１７，５１８（図３〜６）、その上方向の移動を規制する上方向移動規制段部５３１，５３２（図４および図５）、その上端を支持して前方向への移動を規制する取付係合部２１０，２３０（図４および図５参照）が設けられている。
【００５１】
なお、下端支持段部５１７，５１８においては、それぞれの上面５１７ａ，５１８ａによって、支持部材３０を介して１９インチ液晶ディスプレイを支持するようになっている（図４〜図６参照）。
【００５２】
このように、本実施の形態によれば、１９インチ液晶ディスプレイ２０を取付凹部５００に配置させることにより、その下端を下端支持段部５１７，５１８にて支持することができ、１９インチ液晶ディスプレイ２０の鉛直方向への落下を防ぐことが可能となる。
【００５３】
また、下端支持段部５１７，５１８のそれぞれの上面５１７ａ，５１８ａから、取付係合部２１０，２３０の下端までの距離（高さ）Ｈ１は、支持部材３０に支持された１９インチ液晶ディスプレイ２０（図７）の高さＨよりも短くなっている。そのため、１９インチ液晶ディスプレイ２０を支持する支持部材３０の下端を、下端支持段部５１７，５１８のそれぞれの上面５１７ａ，５１８ａに載置し、しかも１９インチ液晶ディスプレイ２０を上面５１７ａ，５１８ａに対し垂直にした場合に、当該１９インチ液晶ディスプレイ２０を支持する支持部材３０の上端が取付係合部２１０，２３０の下端よりも高い位置に位置するようになり、当該１９インチ液晶ディスプレイ２０の前方向の移動を規制することができる。
【００５４】
次に、１９インチ液晶ディスプレイ２０を支持して本体部２に取り付けられる支持部材３０について、図７〜１８を参照して説明する。
【００５５】
支持部材３０は、図７〜図９に示すように、１９インチ液晶ディスプレイ２０の左側の辺を支持する第１の部材３１と、当該１９インチ液晶ディスプレイ２０の右側の辺（すなわち、第１の部材３１が支持する辺と対向する辺）を支持する第２の部材３２とから構成されている。
【００５６】
第１の部材３１は、図７〜図９に示すように、板状に延びて形成された本体部３１ｋと、本体部３１ｋの上端に形成された上端部３１ｍと、本体部３１ｋの下端に形成された下端部３１ｎとから構成されており、そして、上端部３１ｍおよび下端部３１ｎは、それぞれ第２の部材３２の方向へ延びて形成されている。
【００５７】
また、第１の部材３１の内側は、ほぼ全長に亘って凹部が形成されており（ここで、本実施の形態においては、本体部３１ｋに形成された凹部を凹部３１ｋａといい、一方、上端部３１ｍに形成された凹部および下端部３１ｎに形成された凹部をそれぞれ凹部３１ｍａ、凹部３１ｎａという）、１９インチ液晶ディスプレイ２０の左側の辺は、凹部３１ｋａに嵌めこまれて支持されるようになっている。そして、１９インチ液晶ディスプレイ２０の左側の上端および左側の下端は、それぞれ凹部３１ｍａ、凹部３１ｎａに嵌めこまれて支持されるようになっている（図７〜図９参照）。ここで、本体部３１ｋにおける凹部３１ｋａの底面には、第１の部材３１をその内側から補強するための敷居３１ｋｂが縦横に渡って突出して形成されている。一方、下端部３１ｎにおける凹部３１ｎａの底面には、第１の部材３１の補強を図るとともに、１９インチ液晶ディスプレイ２０の下端と凹部３１ｎａの内壁との接触面積を狭めるために１９インチ液晶ディスプレイ２０の嵌め込み方向に延びた敷居３１ｎｂが突出して形成されており、そして、上端部３１ｍにおける凹部３１ｍａの底面においても、下端部３１ｎと同様に第１の部材３１の補強を図るとともに１９インチ液晶ディスプレイ２０の上端と凹部３１ｍａの内壁との接触面積を狭めるために１９インチ液晶ディスプレイ２０の嵌め込み方向に延びた敷居３１ｍｂが突出して形成されている（図１０〜図１３）。なお、本実施の形態の敷居３１ｍｂ，３１ｎｂは、それぞれ凹部３１ｍａ、３１ｎａの途中から延びているが、本発明はこれに限られず、それぞれ凹部３１ｍａ、３１ｎａの全長に渡って延びていてもよい。
【００５８】
本実施の形態においては、敷居３１ｍｂ，３１ｎｂによって、１９インチ液晶ディスプレイ２０と、凹部３１ｍａ，３１ｎａの内壁との摩擦力を小さくすることができ、これによって、１９インチ液晶ディスプレイ２０の左側の辺を凹部３１ｋａに嵌め込む作業がより容易となる。また、１９インチ液晶ディスプレイ２０の左側の上端および左側の下端は、上述したように、それぞれ凹部３１ｍａ、凹部３１ｎａに嵌めこまれて支持されるようになっているので、これにより、１９インチ液晶ディスプレイ２０の上端および下端を支えることができ、１９インチ液晶ディスプレイ２０の支持をより確実に行うことができる。
【００５９】
また、第１の部材３１には、１９インチ液晶ディスプレイ２０にネジ止めされるネジ孔３１ｃ，３１ｄ（図１０〜図１３）が形成されている。そして、これらネジ孔３１ｃ，３１ｄをそれぞれ介して１９インチ液晶ディスプレイ２０の左側の辺に形成されたネジ孔（図示せず）にネジ等を固定することにより、１９インチ液晶ディスプレイ２０を第１の部材３１に取り付けることができ、当該１９インチ液晶ディスプレイ２０をより確実に第１の部材３１に支持させることができる。
【００６０】
さらに、第１の部材３１の外側の上部および下部には、第１の部材３１の取付位置を調整することが可能な調整板３１ｉ，３１ｊが、１９インチ液晶ディスプレイ２０方向とは反対方向に突出して形成されている。ここで、調整板３１ｉには、本体２００に設けられているボス５４１（図４）にビス止め固定される取付孔３１ａが形成され、一方、調整板３１ｊには、ボス５４２（図４）にビス止め固定される取付孔３１ｂが形成されている。そのため、第１の部材３１は、これら取付孔３１ａ，３１ｂ（図８〜１０参照）をそれぞれ介して本体２００に形成されているボス５４１，５４２（図４参照）にビス等を固定することにより、本体部２に取り付けることができる（図５および図６参照）。但し、これに限定されず、例えば、ピン等により第１の部材３１を本体部２に取り付けてもよいし、接着により取り付けてもよい。
【００６１】
また、調整板３１ｉ，３１ｊによって、表示装置の規格に合わせて表示装置を本体部２に取り付けることが可能となっており、例えば、表示装置の端部から本体部２の取付部（ボス５４１，５４２，５４３，５４４）までの距離等に合わせて大きさを調整することができる。これにより、表示装置の取付位置を調整することができ、規格の異なる表示装置を、本体部２の設計変更を行うことなく取り付けることが可能となる。
【００６２】
さらに、調整板３１ｉ，３１ｊの側面には、複数のリブ部３１ｐが形成されており、当該リブ部３１ｐによって、調整板３１ｉ，３１ｊが補強されるようになっている。ここで、リブ部３１ｐは、１９インチ液晶ディスプレイ２０方向とは反対方向に突出するにつれて幅狭となるようになっている（すなわち、リブ部３１ｐは、その突出端に向けて鋭角となるように斜面が形成されている）。
【００６３】
また、第１の部材３１の上部には、１９インチ液晶ディスプレイ２０への信号を中継する中継基板４３を搭載する第１の基台（基台）４１を取り付け可能な第１の基台取付部３１ｅが、１９インチ液晶ディスプレイ２０の背面側に位置するように取り付けられている（図９参照）。
【００６４】
第１の基台取付部３１ｅには、中継基板４３を搭載する第１の基台４１を固定して取り付けるための取付部である２つのボス３１ｅａ，３１ｅｂ（図１０）が設けられており、このボス３１ｅａ，３１ｅｂに、第１の基台４１に形成された取付孔４１ａ，４１ｂ（図９〜１３参照）をそれぞれ介してビス等を固定することにより、第１の基台取付部３１ｅに第１の基台４１を取り付けることができる（図９、図１１および図１３参照）。但し、これに限定されず、例えば、ピン等により第１の基台取付部３１ｅに第１の基台４１を取り付けてもよいし、接着により取り付けてもよい。
【００６５】
また、第１の基台取付部３１ｅの右方には、図９〜図１１に示すように、上端部３１ｍを下方から支持するリブ部３１ｑが突出して形成されている。ここで、リブ部３１ｑおよび当該リブ部３１ｑに下方から支持された上端部３１ｍは、その突出端に向けて鋭角となるように斜面が形成されている。
【００６６】
このように、調整板３１ｉ，３１ｊを支持するリブ部３１ｐ、上記リブ部３１ｑおよび当該リブ部３１ｑに下方から支持された上端部３１ｍは、その突出端に向けて鋭角となるように斜面が形成されている。これにより、第１の部材３１を取付凹部５００に配置させる際に、第１の部材３１を上記リブ部３１ｐ、リブ部３１ｑおよびリブ部３１ｑに下方から支持された上端部３１ｍの斜面にて滑らせることができるので、第１の部材３１が取付凹部５００内に配置された部材等に引っ掛かる虞を減少させることができ、第１の部材３１を本体２００に取り付ける作業をより容易に行うことができる。また、リブ部３１ｐ、リブ部３１ｑおよびリブ部３１ｑに下方から支持された上端部３１ｍを、その突出端に向けて鋭角となるようにすれば、鋭角としない場合に比べて第１の部材３１の体積を減少させることができ、よりコンパクトにすることができる。これにより、第１の部材３１を取付凹部５００に配置させる作業をより容易に行うことができる（図５および図６参照）。
【００６７】
中継基板４３は、図１０に示すように、コネクタ１００（図１１）を介して他の基板等に電気的に接続されるコネクタ部４３ａがその表面側に設けられているとともに、第１の基台４１にネジ止めされる２つのネジ孔４３ｂが形成されている。
【００６８】
第１の基台４１は、中継基板４３を表面側（コネクタ部４３ａが設けられた側）から搭載するための基台であり、その裏面には、図１２に示すように、中継基板４３をビス止め固定するための２つのボス４１ｅが形成され、さらに、当該裏面の上下方向において対向する２辺には、中継基板４３を係止させる係止爪４１ｆがそれぞれ形成されている。そして、ボス４１ｅに中継基板４３に形成されたネジ孔４３ｂを介してビス等を固定するとともに、係止爪４１ｆにて中継基板４３を係止させることにより、第１の基台４１に中継基板４３を搭載することができる（図９、図１１および図１３参照）。但し、これに限定されず、例えば、ピン等により第１の基台４１に中継基板４３を搭載してもよいし、接着により搭載してもよい。また、ビス等による固定を行わず、係止爪４１ｆにて中継基板４３を係止させるのみにしてもよい。
【００６９】
さらに、第１の基台４１には、コネクタ部４３ａの形状に合わせられた開口孔４１ｄ（図９〜図１２）が形成されているため、中継基板４３の表面側に搭載されるコネクタ部４３ａの一部は、当該開口孔４１ｄから露出するようになっている（図９および図１１参照）。さらに、開口孔４１ｄの左方には、コネクタ部４３ａに接続されるコネクタ１００が挿通する開口孔４１ｃが形成されている。
【００７０】
次に、第１の部材３１が支持する辺と対向する辺（すなわち、１９インチ液晶ディスプレイ２０の右側の辺）を支持する第２の部材３２について説明する。第２の部材３２は、図７〜図９に示すように、板状に延びて形成された本体部３２ｏと、本体部３２ｏの上端に形成された上端部３２ｍと、本体部３２ｏの下端に形成された下端部３２ｎとから構成されており、そして、上端部３２ｍおよび下端部３２ｎは、それぞれ第１の部材３１の方向へ延びて形成されている。
【００７１】
また、第２の部材３２の内側の少なくとも一部には、凹部が形成されており（本実施の形態においては、本体部３２ｏの少なくとも一部に凹部３２ｏａが形成されている）、１９インチ液晶ディスプレイ２０の右側の辺は、当該凹部３２ｏａに嵌めこまれて支持されるようになっている。そして、１９インチ液晶ディスプレイ２０の右側の上端および右側の下端は、それぞれ上端部３２ｍ、下端部３２ｎに支持されるようになっている（図７〜図９、および図１６〜図１７参照）。ここで、凹部３２ｏａの底面には、第２の部材３２をその内側から補強するための敷居３２ｏｂ（図１６〜図１７）が縦横に渡って突出して形成されている。
【００７２】
また、下端部３２ｎには、第２の部材３２の補強を図るとともに、１９インチ液晶ディスプレイ２０の下端との接触面積を狭めるために１９インチ液晶ディスプレイ２０と直交する方向に延びた敷居３２ｎｂが突出して形成されており、そして、上端部３２ｍにおいても下端部３２ｎと同様に、第２の部材３２の補強を図るとともに１９インチ液晶ディスプレイ２０の上端との接触面積を狭めるために１９インチ液晶ディスプレイ２０と直交する方向に延びた敷居３２ｍｂが突出して形成されている（図１４〜図１７）。
【００７３】
本実施の形態においては、敷居３２ｍｂ，３２ｎｂによって、１９インチ液晶ディスプレイ２０と、凹部３２ｍａ，３２ｎａの内壁との摩擦力を小さくすることができ、これによって、１９インチ液晶ディスプレイ２０の右側の辺を凹部３２ｏａに嵌め込む作業がより容易となる。また、１９インチ液晶ディスプレイ２０の右側の上端および右側の下端は、上述したように、それぞれ凹部３２ｍａ、凹部３２ｎａに嵌めこまれて支持されるようになっているので、これにより、１９インチ液晶ディスプレイ２０の上端および下端を支えることができ、１９インチ液晶ディスプレイ２０の支持をより確実に行うことができる。
【００７４】
また、第２の部材３２には、１９インチ液晶ディスプレイ２０にネジ止めされるネジ孔３２ｃ，３２ｄ（図１４〜図１７）が形成されている。そして、これらネジ孔３２ｃ，３２ｄをそれぞれ介して１９インチ液晶ディスプレイ２０の右側の辺に形成されたネジ孔（図示せず）にネジ等を固定することにより、１９インチ液晶ディスプレイ２０を、より確実に第２の部材３２に取り付けることができる。
【００７５】
さらに、第２の部材３２の外側の上部および下部には、第２の部材３２の取付位置を調整することが可能な調整板３２ｋ，３２ｌが、１９インチ液晶ディスプレイ２０方向とは反対方向に突出して形成されている。ここで、調整板３２ｋには、本体２００に設けられているボス５４３（図４）にビス止め固定される取付孔３２ａが形成され、一方、調整板３２ｌには、ボス５４４（図４）にビス止め固定される取付孔３２ｂが形成されている。そのため、第２の部材３２は、これら取付孔３２ａ，３２ｂ（図１４〜図１７参照）をそれぞれ介して本体２００に形成されているボス５４３，５４４（図４参照）にビス等を固定することにより、本体部２に取り付けることができる（図５および図６参照）。但し、これに限定されず、例えば、ピン等により第２の部材３２を本体部２に取り付けてもよいし、接着により取り付けてもよい。
【００７６】
また、調整板３２ｋ，３２ｌによって、表示装置の規格に合わせて表示装置を本体部２に取り付けることが可能となっており、例えば、表示装置の端部から本体部２の取付部（ボス５４１，５４２，５４３，５４４）までの距離等に合わせて大きさを調整することができる。これにより、表示装置の取付位置を調整することができ、規格の異なる表示装置を、本体部２の設計変更を行うことなく取り付けることが可能となる。
【００７７】
さらに、調整板３２ｋ，３２ｌの側面には、複数のリブ部３２ｐが形成されており、当該リブ部３２ｐによって、調整板３２ｋ，３２ｌが補強されるようになっている。ここで、リブ部３２ｐは、１９インチ液晶ディスプレイ２０方向とは反対方向に突出するにつれて幅狭となるようになっている（すなわち、リブ部３２ｐは、その突出端に向けて鋭角となるように斜面が形成されている）。
【００７８】
このように、調整板３２ｋ，３２ｌを支持するリブ部３２ｐは、その突出端に向けて鋭角となるように斜面が形成されている。これにより、第２の部材３２を取付凹部５００に配置させる際に、第２の部材３２を当該リブ部３２ｐの斜面にて滑らせることができるので、第２の部材３２が取付凹部５００内に配置された部材等に引っ掛かる虞を減少させることができ、第２の部材３２を本体２００に取り付ける作業をより容易に行うことができる。また、リブ部３２ｐを、その突出端に向けて鋭角となるようにすれば、鋭角としない場合に比べて第２の部材３２の体積を減少させることができ、よりコンパクトにすることができる。これにより、第２の部材３２を取付凹部５００に配置させる作業をより容易に行うことができる（図５および図６参照）。
【００７９】
また、第２の部材３２の長手方向の上端（すなわち、本体部３２ｏの上端から第１の部材３１の方向へ延びて形成された上端部３２ｍ）から下端（すなわち、本体部３２ｏの下端から第１の部材３１の方向へ延びて形成された下端部３２ｎ）にかけては、１９インチ液晶ディスプレイ２０へ流れる電力を変換するインバータ基板４４を搭載する第２の基台（基台）４２を取り付け可能な第２の基台取付部３２ｉが、１９インチ液晶ディスプレイ２０の背面側に位置するように取り付けられている。
【００８０】
ここで、本実施の形態においては、上端部３２ｍ側に位置する第２の基台取付部３２ｉを上端取付部３２ｉａといい、一方、下端部３２ｎ側に位置する第２の基台取付部３２ｉを下端取付部３２ｉｂという。
【００８１】
上端取付部３２ｉａには、第２の基台４２を係止させる２つの係止爪３２ｆが形成されているとともに、係止爪３２ｆに係止された第２の基台４２の上方向への移動を規制する段部である上方向規制部３２ｅが形成されている。一方、下端取付部３２ｉｂには、第２の基台４２を係止させる２つの係止爪３２ｆが形成されており、そして、当該２つの係止爪３２ｆの間には、第２の基台４２を固定して取り付けるためのボス３２ｇが形成されている。
【００８２】
ここで、第２の基台４２の４隅に形成された係止孔４２ｃ（図１４〜図１７）に、上端取付部３２ｉａおよび下端取付部３２ｉｂに形成された係止爪３２ｆをそれぞれ係止させ、且つ下端取付部３２ｉｂに形成されたボス３２ｇに第２の基台４２の下端に形成された取付孔４２ｂを介してビス等を固定することにより、第２の基台取付部３２ｉに第２の基台４２を取り付けることができる（図９、図１１および図１３参照）。但し、これに限定されず、例えば、ピン等により第２の基台取付部３２ｉに第２の基台４２を取り付けてもよいし、接着により取り付けてもよい。さらに、本発明においては、上端取付部３２ｉａにおいても、第２の基台４２を固定して取り付けるためのボスを設けてもよい。この場合、上端取付部３２ｉａに形成されたボスに第２の基台４２の上端に形成された取付孔４２ａを介してビス等を固定することができ、第２の基台４２の第２の基台取付部３２ｉへの取り付けをより確実に行うことが可能となる。
【００８３】
インバータ基板４４は、略長方形状を呈しており、その中央部に、第２の基台４２にネジ止めされるネジ孔４４ｂが形成されているとともに、その表面側に、ハーネス（配線）等を介して他の基板等に電気的に接続されるコネクタ部４４ａが複数設けられている。本実施の形態のコネクタ部４４ａは、インバータ基板４４の長手方向の上部および下部、そして、ネジ孔４４ｂの左方にそれぞれ設けられている。
【００８４】
第２の基台４２は、略長方形状のインバータ基板４４を表面側（コネクタ部４４ａが設けられた側）から搭載するための基台であり、その裏面の中央部には、図１６に示すように、インバータ基板４４をビス止め固定するためのボス４２ｆが形成され、さらに、当該裏面の上下方向において対向する２辺には、インバータ基板４４を係止させる係止爪４２ｇがそれぞれ形成されている。そして、ボス４２ｆにインバータ基板４４に形成されたネジ孔４４ｄを介してビス等を固定するとともに、係止爪４２ｇにてインバータ基板４４を係止させることにより、第２の基台４２にインバータ基板４４を搭載することができる（図９、図１１および図１３参照）。但し、これに限定されず、例えば、ピン等により第２の基台４２にインバータ基板４４を搭載してもよいし、接着により搭載してもよい。また、ビス等による固定を行わず、係止爪４２ｇにてインバータ基板４４を係止させるのみにしてもよい。
【００８５】
また、第２の基台４２の表面側には、搭載されたインバータ基板４４から発せられる熱を外部に放熱するための放熱孔４２ｅ（図１４〜図１６）が複数設けられているとともに、左右の側面には、切り欠きが形成された放熱凹部４２ｈが並んで配置されている。本実施の形態において、搭載されたインバータ基板４４から発せられる熱は、これら放熱孔４２ｅおよび放熱凹部４２ｈから外部に放熱されるようになっており、これにより、インバータ基板４４に熱がこもることを防いでいる。
【００８６】
さらに、第２の基台４２には、インバータ基板４４に設けられているコネクタ部４４ａを露出させるための開口孔４２ｄがコネクタ部４４ａの配置に合わせて形成されている（例えば、図１６においては、第２の基台４２の長手方向の上部および下部、そして、ボス４２ｆの右方に開口孔４２ｄが形成されている）。そのため、インバータ基板４４の表面側に搭載される複数のコネクタ部４４ａは、それぞれ対向する開口孔４２ｄからその一部が露出するようになる（図１５参照）。この場合、たとえ第２の基台４２にインバータ基板４４を搭載したとしても、開口孔４２ｄを利用して、コネクタ部４４ａにおけるハーネス（配線）等の着脱を行うことが可能となる。
【００８７】
このように、本実施の形態においては、支持部材３０に支持された１９インチ液晶ディスプレイ２０を本体部２に配置する例を示したが、本発明はこれに限られず、他の規格の表示装置（例えば、１４インチ液晶ディスプレイ等）を支持部材にて支持して配置してももちろんよい。この場合、支持部材に対して、表示装置の辺の長さに合わせて支持部材の長手方向の長さを調整するとともに、当該表示装置の端部から本体部２の取付部（ボス５４１，５４２，５４３，５４４）までの距離等に合わせて調節板の大きさを調整する等の設計変更をすることにより、他の規格の表示装置を支持部材で支持させて本体部２に配置させることができる。これにより、規格の異なる表示装置を、本体部２の設計変更を行うことなく取り付けることが可能となり、異なる規格の表示装置を流用することが容易となる。
【００８８】
なお、支持部材３０は、上述した設計変更を容易にするために、安価な部材で構成されているとともに、簡易な構造となっていることが望ましい。
【００８９】
以上、本発明の実施の形態を説明したが、これは本発明を具体的に例示したに過ぎず、特に本発明を限定するものではない。
【００９０】
例えば、本実施の形態では、表示装置として液晶表示装置（例えば、１９インチ液晶ディスプレイ２０等）を用いていたが、本発明においては、この液晶表示装置にかえて、例えばプラズマディスプレイ等の表示手段を用いてもよい。
【００９１】
また、第１の基台取付部３１ｅおよび第２の基台取付部３２ｉは、それぞれ中継基板４３を搭載する第１の基台４１、インバータ基板４４を搭載する第２の基台４２を取り付け可能であったが、本発明はこれに限られず、それぞれ他の基板を搭載する基台を取り付け可能であってもよい。
【００９２】
このように、本実施の形態によれば、支持部材３０は、表示装置（例えば、１９インチ液晶ディスプレイ２０）を支持するとともに、本体部（遊技機本体部）２のボス（取付部）５４１，５４２，５４３，５４４に取り付けられるようになっている。そのため、当該支持部材３０を介して、表示装置を本体部２に取り付けることが可能となる。この場合、１９インチ液晶ディスプレイ２０を直接本体部２に取り付ける手法に比べて、表示装置の規格の違いを上記支持部材３０によって補完することが可能となる。そのため、例えば、取り付ける表示装置の大きさが遊技機指定の規格よりも小さいために本体部２のボス（取付部）５４１，５４２，５４３，５４４にまで届かない場合であったとしても、上記支持部材３０を介してボス５４１，５４２，５４３，５４４に取り付けることが可能となる。すなわち、本発明によれば、指定の規格よりも小さい表示装置であっても、支持部材３０を介することによって、本体部２のボス５４１，５４２，５４３，５４４に取り付けることが可能となる。また、たとえ表示装置と支持部材３０との規格が適合しなかったとしても、設計変更の容易な支持部材３０を調整するのみで容易に適合させることができる。
【００９３】
これにより、規格の異なる表示装置を、本体部２の設計変更を行うことなく取り付けることが可能となり、異なる規格の表示装置を流用することが容易となる。
【００９４】
さらに、本実施の形態によれば、支持部材３０は、表示装置の背面側に、所定の基板（例えば、中継基板４３、インバータ基板４４）を搭載する基台（例えば、第１の基台４１，第２の基台４２）を取り付ける基台取付部（例えば、第１の基台取付部３１ｅ，第２の基台取付部３２ｉ）を有しており、これにより、表示装置の背面側に当該基台を取り付けることができ、表示装置の背面側のスペースを有効に利用することが可能となる。
【００９５】
また、本発明によれば、表示装置と所定の基板を搭載する基台とを一体化させることができるため、表示装置と上記基台とを個別に着脱する手間を省くことができる。これにより、遊技機のメンテナンスや部品交換が容易となる。
【００９６】
さらに、本発明によれば、異なる規格の基台であっても、支持部材３０の基台取付部を調整するのみで、本体部２に取り付けることが可能となる。これにより、異なる規格の基台を、本体部２の設計変更を行うことなく取り付けることが可能となり、異なる規格の基台を流用することが容易となる。
【００９７】
また、本実施の形態によれば、支持部材３０は、第１の基台取付部３１ｅを有する第１の部材３１および第２の基台取付部３２ｉを有する第２の部材３２から構成されている。すなわち、本構成の支持部材３０は、複数の基台を取り付けることができるようになっているので、表示装置と上記基台とを個別に着脱する手間をより省くことができ、遊技機のメンテナンスや部品交換がより容易となる。
【００９８】
さらに、本実施の形態によれば、表示装置への信号を中継する中継基板４３を搭載する基台、すなわち、表示装置の制御に関する基板を搭載する第１の基台（基台）４１を、支持部材３０の第１の基台取付部３１ｅに取り付けることができるようになっている。そのため、表示装置と、当該表示装置に関連する基板とを一緒に着脱することが可能となる。これにより、遊技機のメンテナンスや部品交換がより容易となる。
【００９９】
さらに、本発明によれば、異なる規格の基台であっても、支持部材３０の第１の基台取付部３１ｅを調整するのみで、本体部２に取り付けることが可能となる。これにより、異なる規格の基台を、本体部２の設計変更を行うことなく取り付けることが可能となり、異なる規格の基台を流用することが容易となる。
【０１００】
また、本実施の形態によれば、第２の基台取付部３２ｉは、第２の部材３２の長手方向の上端（すなわち、本体部３２ｏの上端から第１の部材３１の方向へ延びて形成された上端部３２ｍ）から下端（すなわち、本体部３２ｏの下端から第１の部材３１の方向へ延びて形成された下端部３２ｎ）にかけて形成されている。この場合、第２の基台取付部３２ｉを長手方向に大きくすることができるので、表示装置の背面側のスペースをより有効に利用することが可能となる。また、本発明によれば、第２の部材３２の上端および下端にて基台を支持することができるので、荷重が重い基台であっても、より強固に支持することが可能となる。
【０１０１】
また、本実施の形態によれば、表示装置へ流れる電力を変換するインバータ基板（基板）４４を搭載する基台、すなわち、表示装置の制御に関する基板を搭載する第２の基台（基台）４２を、支持部材３０の第２の基台取付部３２ｉに取り付けることができるようになっている。そのため、表示装置と、表示装置に関連する基板とを一緒に着脱することが可能となる。これにより、遊技機のメンテナンスや部品交換がより容易となる。
【０１０２】
さらに、本発明によれば、異なる規格の基台であっても、支持部材３０の基台取付部（例えば、第１の基台取付部３１ｅ，第２の基台取付部３２ｉ）を調整するのみで、本体部２に取り付けることが可能となる。これにより、異なる規格の基台を、本体部２の設計変更を行うことなく取り付けることが可能となり、異なる規格の基台を流用することが容易となる。
【０１０３】
さらに、本実施の形態によれば、表示装置を取付凹部５００に配置させているので、当該取付凹部５００によって表示装置の下端を支持することができ、当該表示装置の鉛直方向への落下を防ぐことが可能となる。これにより、表示装置をより確実に本体部２に取り付けることが可能となる。
【０１０４】
（実施の形態２）
【０１０５】
本発明に係る遊技機としては、パチスロ機（スロットマシン）が適用されている。このように、本発明に係る遊技機は実施の形態１のパチンコ機に限定されるものではない。
【０１０６】
以下において、本実施の形態の遊技機について説明する。なお、ここでは、上述の実施の形態１の遊技機との相違点についてのみ説明する。
【０１０７】
パチスロ機６００は、図２２および図２３に示すように、筐体Ｓ１と、筐体Ｓ１の前面に回動可能に取り付けられた扉体Ｓ２とを有している。
【０１０８】
扉体Ｓ２の中央部には、透光性を有する部材で構成された表示窓６１０が設けられているとともに、表示窓６１０の下方には、遊技に係る所定の演出画像（いわゆる予告画像等）が表示される液晶表示部６７３が設けられている。また、表示窓６１０の背後には、図２３に示すように、所定の図柄が付された複数のリール等を１９インチの表示領域６２０ａに表示する表示装置である１９インチ液晶ディスプレイ６２０が、支持部材３０を介して筐体Ｓ１の内部に取り付けられている。
【０１０９】
液晶表示部６７３の下方には、左から、クレジットメダル精算スイッチ６２９、スタートレバー６３０、および停止ボタン６３１、６３２、６３３が設けられている。クレジットメダル精算スイッチ６２９はパチスロ機６００にクレジットされているメダルを精算する際に使用される。また、スタートレバー６３０の操作により１９インチ液晶ディスプレイ６２０に表示される各リールの回転が一斉に開始する。停止ボタン６３１、６３２、６３３は、各リールに対応して配置されており、これら各リールの回転が一定速度に達したとき操作が有効化され、遊技者の操作に応じて各リールの回転を停止する。
【０１１０】
また、パチスロ機６００の正面下部にはメダル受皿６３４が設けられている。このメダル受皿６３４はメダル払出口６３５から払い出されるメダルを貯めるものである。また、パチスロ機６００の正面上部には、入賞に対してどれだけのメダルが払い出されるかを示す配当表示部６３６が設けられ、その左右にスピーカ６８２Ｌ、６８２Ｒが取り付けられている。
【０１１１】
そして、停止ボタン６３１〜６３３とメダル受皿６３４とに上下を挟まれた位置には、機種のモチーフに対応したデザインがあしらわれた腰部パネル６３８が取り付けられている。
【０１１２】
また、図２３において、扉体Ｓ２の背面側には、最上部に、各遊技状態に応じて点滅パターンを表示する遊技状態表示基盤６５０が設置されている。遊技状態表示基盤６５０の下側で配当表示部６３６の裏側には、配当表示部６３６を照明するための冷陰極管のインバータである冷陰極管インバータ６５２が設置されている。また、冷陰極管インバータ６５２の左右には、前述したスピーカ６８２Ｌ、６８２Ｒが位置している。
【０１１３】
そして、筐体Ｓ１内には、内部空間を上下に区画する仕切り板６４０が取り付けられている。仕切り板６４０に仕切られた上部空間には、第１の部材３１および第２の部材３２から構成される支持部材３０に支持された１９インチ液晶ディスプレイ６２０が、当該支持部材３０を介して取り付けられている。これにより、１９インチ液晶ディスプレイ６２０を表示窓６１０の背後に配置させることができ、１９インチ液晶ディスプレイ６２０の表示領域６２０ａを、表示窓６１０を通して視認することができる。
【０１１４】
ここで、本実施の形態の支持部材３０および１９インチ液晶ディスプレイ６２０は、実施の形態１の支持部材３０、１９インチ液晶ディスプレイ２０と同じような構成がとられている。すなわち、支持部材３０は、１９インチ液晶ディスプレイ６２０を左右の辺から支持するようになっているとともに、４箇所の取付孔３１ａ，３１ｂ，３２ａ，３２ｂをそれぞれ介して筐体Ｓ１に形成されている４つのボス（図示せず）にビス等を固定することにより筐体Ｓ１に取り付けられるようになっている。
【０１１５】
一方、仕切り板６４０の下側に位置する下部空間には、払い出されるメダルが収納されるホッパー６４４がその略中央に設置されている。そして、ホッパー６４４の右下にはホッパー６４４からあふれ出したメダルが入るメダル補助収納庫６４５が、下にはホッパー６４４内のメダルを入賞枚数に応じてメダル払い出し口から払い出す払い出しユニット６４６が、それぞれ配置されている。
【０１１６】
このように、本実施の形態においては、１９インチ液晶ディスプレイ６２０が、第１の部材３１および第２の部材３２から構成される支持部材３０に左右から支持されて筐体Ｓ１内に取り付けられるようになっている。
【０１１７】
そのため、本実施の形態に示す通り、本発明を、本実施の形態に係るパチスロ機（遊技機）６００に適用することができる。
【０１１８】
なお、本実施の形態においては、支持部材３０に支持された１９インチ液晶ディスプレイ６２０を、複数のリール等を表示可能な表示装置として用いたが、本発明はこれに限られず、当該支持部材３０に支持された１９インチ液晶ディスプレイ６２０を、遊技に係る所定の演出画像（いわゆる予告画像等）が表示される液晶表示部６７３に用いてもよい。
【産業上の利用可能性】
【０１１９】
以上の説明においては、本発明をパチンコ遊技機本体もしくはパチスロ遊技機本体が遊技台に取り付けられた遊技機に適用した場合が説明されているが、本発明はこれに限定されるものではなく、雀球、スマートボールあるいはゲームセンターに設置された各種ゲーム機など、種々の遊技機に適用することが可能である。
【図面の簡単な説明】
【０１２０】
【図１】実施の形態１に係る遊技機を示す斜視図である。
【図２】図１に示した遊技機の正面図である。
【図３】図１に示した遊技機を表面側から見た分解斜視図である。
【図４】実施の形態１に係る本体部の内部を示す正面図である。
【図５】図４に示す本体部に１９インチ液晶ディスプレイが搭載された例を示す正面図である。
【図６】図４に示す本体部に１９インチ液晶ディスプレイが搭載された例を示す斜視図である。
【図７】支持部材に支持された１９インチ液晶ディスプレイの正面図である。
【図８】支持部材に支持された１９インチ液晶ディスプレイの斜視図である。
【図９】支持部材に支持された１９インチ液晶ディスプレイの背面図である。
【図１０】図９に示した第１の部材および第１の基台を背面側から見た説明図である。
【図１１】第１の基台が取り付けられた第１の部材を背面側から見た斜視図である。
【図１２】図９に示した第１の部材および第１の基台を表面側から見た説明図である。
【図１３】第１の基台が取り付けられた第１の部材を表面側から見た斜視図である。
【図１４】図９に示した第２の部材および第２の基台を背面側から見た説明図である。
【図１５】第２の基台が取り付けられた第２の部材を背面側から見た斜視図である。
【図１６】図９に示した第２の部材および第２の基台を表面側から見た説明図である。
【図１７】第２の基板が取り付けられた第２の部材を表面側から見た斜視図である。
【図１８】図４に示す本体部に２０インチ液晶ディスプレイが搭載された例を示す正面図である。
【図１９】図４に示す本体部に２０インチ液晶ディスプレイが搭載された例を示す斜視図である。
【図２０】図１８に示す２０インチ液晶ディスプレイの正面図である。
【図２１】図１８に示す２０インチ液晶ディスプレイの斜視図である。
【図２２】実施の形態２に係るパチスロ機の外観斜視図である。
【図２３】図２２のパチスロ機の内部構造を示す正面図である。
【符号の説明】
【０１２１】
１  遊技機
２  本体部（遊技機本体部）
２ａ  木枠
３  ガラス扉
４  上皿部
５  下皿部
６  カバー
７  ハンドル
８  シャッターレバー
９  開閉扉
１０  遊技盤
２０，６２０  １９インチ液晶ディスプレイ（表示装置）
２０ａ，６２０ａ  表示領域
２２  ２０インチ液晶ディスプレイ（表示装置）
２２ａ  表示領域
２２ｂ，２２ｃ，２２ｄ，２２ｅ  固定部
２２ｂａ，２２ｃａ，２２ｄａ，２２ｅａ  取付孔
３０  支持部材
３１  第１の部材
３１ａ，３１ｂ  取付孔
３１ｃ，３１ｄ  ネジ孔
３１ｅ  第１の基台取付部
３１ｅａ，３１ｅｂ  ボス
３１ｉ，３１ｊ  調整板
３１ｋ  本体部
３１ｋａ  凹部
３１ｋｂ  敷居
３１ｍ  上端部
３１ｍａ  凹部
３１ｍｂ  敷居
３１ｎ  下端部
３１ｎａ  凹部
３１ｎｂ  敷居
３１ｐ  リブ部
３１ｑ  リブ部
３２  第２の部材
３２ａ，３２ｂ  取付孔
３２ｃ，３２ｄ  ネジ孔
３２ｅ  上方向規制部
３２ｆ  係止爪
３２ｇ  ボス
３２ｈ  敷居
３２ｉ  第２の基台取付部
３２ｉａ  上端取付部
３２ｉｂ  下端取付部
３２ｊ  凹部
３２ｋ，３２ｌ  調整板
３２ｏ  本体部
３２ｏａ  凹部
３２ｏｂ  敷居
３２ｍ  上端部
３２ｍｂ  敷居
３２ｎ  下端部
３２ｎｂ  敷居
３２ｐ  リブ部
４１  第１の基台（基台）
４１ａ，４１ｂ  取付孔
４１ｃ  開口孔
４１ｄ  開口孔
４１ｅ  ボス
４１ｆ  係止爪
４２  第２の基台（基台）
４２ａ，４２ｂ  取付孔
４２ｃ  係止孔
４２ｄ  開口孔
４２ｅ  放熱孔
４２ｆ  ボス
４２ｇ  係止爪
４２ｈ  放熱凹部
４３  中継基板（基板）
４３ａ  コネクタ部
４３ｂ  ネジ孔
４４  インバータ基板（基板）
４４ａ  コネクタ部
４４ｂ  ネジ孔
７０  制御系ケース
１００  コネクタ
２００  本体
５００  取付凹部
５１７，５１８  下端支持段部
５２０  第２の基台収容凹部
５２１  放熱孔
５３１，５３２  上方向移動規制段部
５４１，５４２，５４３，５４４  ボス（取付部）
５５１  切り欠き部（孔）
６００  パチスロ機（遊技機）
６０８  メダル投入口
６１０  表示窓
６２９  クレジットメダル精算スイッチ
６３０  スタートレバー
６３１、６３２、６３３  停止ボタン
６３４  メダル受皿
６３５  メダル払出口
６３６  配当表示部
６４０  仕切り板
６４４  ホッパー
６４５  メダル補助収納庫
６４６  払い出しユニット
６５０  遊技状態表示基盤
６５２  冷陰極管インバータ
６７３  液晶表示部
６８２Ｌ，６８２Ｒ  スピーカ
Ｓ１  筐体
Ｓ２  扉体
【図１】
0004766426.tif 000002
【図２】
0004766426.tif 000003
【図３】
0004766426.tif 000004
【図４】
0004766426.tif 000005
【図５】
0004766426.tif 000006
【図６】
0004766426.tif 000007
【図７】
0004766426.tif 000008
【図８】
0004766426.tif 000009
【図９】
0004766426.tif 000010
【図１０】
0004766426.tif 000011
【図１１】
0004766426.tif 000012
【図１２】
0004766426.tif 000013
【図１３】
0004766426.tif 000014
【図１４】
0004766426.tif 000015
【図１５】
0004766426.tif 000016
【図１６】
0004766426.tif 000017
【図１７】
0004766426.tif 000018
【図１８】
0004766426.tif 000019
【図１９】
0004766426.tif 000020
【図２０】
0004766426.tif 000021
【図２１】
0004766426.tif 000022
【図２２】
0004766426.tif 000023
【図２３】
0004766426.tif 000024